(57)【特許請求の範囲】
【請求項１】
一部分が静水面下にあり、他の部分が静水面上にあって波の進行方向に対して上り勾配を有する斜板と、該斜板を支持する鋼管製のジャケットと、該ジャケットを支持する基礎杭とからなる斜板堤の構築方法であって、上記斜板は、上り勾配を有するようにジャケット上に設置する複数の主桁と、各主桁間を連結する複数の横桁と、主桁と横桁によって形成された井桁状の空間部に設置する床板とからなり、主桁、横桁および床板は、ＰＣコンクリート製で、それらの接合部を形成するために多数の鉄筋を突出させておき、沿岸のヤード上にジャケットを仮置きし、その上に主桁を設置し、主桁の側面に設けたブラケット上に横桁を設置した後、主桁と横桁との接合部にグラウトを注入して固定し、主桁および／または横桁の側面に設けたブラケット上に床板を設置した後、接合部にグラウトを注入して固定することにより、ジャケット上に斜板を形成したことを特徴とする斜板堤の構築方法。
【請求項２】
上記ヤード上で斜板を構築したジャケットを浮きクレーンで吊り上げて基礎杭上に移動し、ジャケットの脚部の下端を基礎杭上に降下して固定する請求項１記載の斜板堤の構築方法。
【発明の詳細な説明】
【０００１】
【発明の属する技術分野】
本発明は、斜板堤の構築方法に係り、特に沖合いの波のエネルギーが集中する海面付近に設置して消波することによって堤体の背後に静穏な海域を創出するための斜板堤の構築方法に関するものである。
【０００２】
【従来の技術】
従来の消波装置としては、沖合いにコンクリートブロックを多数沈めて積み上げて消波する消波ブロック工法が主流であった。しかしながら、消波ブロック工法による離岸堤は、波の被災を受け易く形が崩れたり、コンクリートブロックの散乱に伴なう景観の悪化、漁業への影響などがあり、近年は消波ブロック工法による離岸堤に替わって、波のエネルギーが集中する海面付近にコンクリート製の斜板堤を設置することによって、波を強制的に砕波して静める工法が提案されている。
【０００３】
図９および図１０は特開平４−７４０２号公報に開示された斜板堤（水面設置構造物）の図で、図９は斜板堤の斜視図、図１０は斜板堤の側面図である。図において、１は海水の静水面、２は波、３は波２の進行方向、４は進行方向３後方の沖側、５は進行方向３前方の岸側、６は海底である。７は沖側４が静水面１下に位置し、波２の進行方向３に対して上り勾配の傾斜した面８を有する斜板、９は斜板７を支えるスリーブ状をした脚部、１０は上部が脚部９内部を通され、下部が海底６へ打ち込まれた鋼管杭である。１１は斜板７上方を通る波、１２は斜板７下方を通る波である。なお、複数の脚部９と水平連結材および斜め連結材とによってジャケット７４が構成される。
【０００４】
図１１は従来のコンクリート製の斜板をヤード上で構築している状態を示す概要図である。なお、図９および図１０で説明したものと共通するものは、同じ符号を付して説明する。図において、７はコンクリート製の斜板で、その大きさは幅（波の進行方向）約１０ｍ、長さ約１４ｍであり、長さ方向に複数台連続して設ける。斜板７はヤード３０上に仮置きされたジャケット７４上に設置する。２８は斜板７を構築する際に使用する足場で、ヤード３０上に適宜段積みして取り付ける。３１はコンクリート打設用型枠で、ジャケット７４上に傾斜させて取り付ける。その傾斜角は約１５°である。２９はジャケット７４のまわりに設けられ、型枠３１の下面を支持する多数の支保工で、斜板７の位置により適宜高さを調整して取り付ける。型枠３１が完成すると、型枠３１内に、図示しないコンクリートポンプ車からコンクリートを投入して打設する。コンクリートを打設する際、型枠３１が傾斜しているので、コンクリートは下方に流下してしまい、型枠３１上方への打設が難しく、コンクリートの粘性を調整して固めのコンクリートを打設しなければならない。コンクリートが固化すると、型枠３１および支保工２９を取り外す。
【０００５】
【発明が解決しようとする課題】
しかしながら、従来の斜板堤では、斜板を形成するのに斜板堤を設置する沿岸のヤードでコンクリートを打設するため、コンクリート打設のための形枠や形枠を支持するための多数の支保工を取り付けなければならず、その取り付け取り外し工事が複雑で手間がかかる。また、固めのコンクリートを打設するため、隙間ができやすく、コンクリートの品質が悪い。しかも、これらの作業はヤードでの作業なので、作業効率が悪い。
【０００６】
本発明は、従来技術のかかる問題点に鑑み案出されたもので、ＰＣコンクリート製の斜板を複数に分割して工場で製作して斜板堤を設置する沿岸のヤードに移動し、沿岸のヤードで、ヤード上に仮置きしたジャケットと分割された斜板とを連結して一体化し、一体化した斜板堤を浮きクレーンで吊り上げて海上に設置された基礎杭上に降下して固定することによって、ヤードでのコンクリート打設工事を大幅に減少させて作業効率の向上を図るとともに、コンクリートの品質の向上を図ることのできる斜板堤の構築方法を提供することを目的とする。
【０００７】
【課題を解決するための手段】
上記目的を達成するため、本発明の斜板堤の構築方法は、一部分が静水面下にあり、他の部分が静水面上にあって波の進行方向に対して上り勾配を有する斜板と、該斜板を支持する鋼管製のジャケットと、該ジャケットを支持する基礎杭とからなる斜板堤の構築方法であって、上記斜板は、上り勾配を有するようにジャケット上に設置する複数の主桁と、各主桁間を連結する複数の横桁と、主桁と横桁によって形成された井桁状の空間部に設置する床板とからなり、主桁、横桁および床板は、ＰＣコンクリート製で、それらの接合部を形成するために多数の鉄筋を突出させておき、沿岸のヤード上にジャケットを仮置きし、その上に主桁を設置し、主桁の側面に設けたブラケット上に横桁を設置した後、主桁と横桁との接合部にグラウトを注入して固定し、主桁および／または横桁の側面に設けたブラケット上に床板を設置した後、接合部にグラウトを注入して固定することにより、ジャケット上に傾斜板を形成したものである。
【０００８】
また、上記ヤード上で斜板を構築したジャケットを浮きクレーンで吊り上げて基礎杭上に移動し、ジャケットの脚部の下端を基礎杭上に降下して固定したものである。
【０００９】
次に本発明の作用を説明する。工場で製作した鋼管製のジャケットを沿岸のヤード上に仮置きする。その上に主桁を設置する。主桁には横桁および床板を載置するブラケットを取り付けておくとともに、横桁と床板とに接合する接合部を形成するために鉄筋を突出させておく。横桁には主桁および床板との接合部に鉄筋を突出させておく。主桁のブラケット上に横桁を載置し、接合部の鉄筋同志を互いに溶接するか針金で縛っておく。接合部にグラウトを注入して主桁と横桁とを固定する。周囲に接合用の鉄筋を突出させた床板を主桁と横桁とで形成された井桁状の空間に挿入し、主桁および／または横桁に取り付けたブラケット上に載置する。主桁と横桁および床板との接合部の鉄筋同志を溶接するか針金で縛っておく。接合部にグラウトを注入して床板と主桁および横桁とを固定する。なお、グラウトの注入は、主桁と横桁と斜板との接合部と、主桁、横桁と斜板との接合部とに同時に行なってもよい。斜板を取り付けたジャケットを浮きクレーンで吊り上げて基礎杭上に移動し、ジャケットの脚部を基礎杭上に降下して固定する。
【００１０】
このように、斜板を形成するＰＣコンクリート製の主桁、横桁および床板を工場などで各別に製作するので、製作が容易であるとともに、沿岸のヤードへの搬送が容易である。また、ヤード上に仮置きしたジャケットに主桁と横桁および床板を適宜組み合わせ、その接合部にグラウトを注入して固定するので、支保工などの機材を無くすとともに、ヤードでの作業は、接合部でのグラウト注入だけなので、大量のコンクリートの打設工事を無くすことができる。ヤードで作業を完了した後、斜板を取り付けたジャケットを浮きクレーンで吊り上げて基礎杭上に固定するので、工期を短縮して作業効率の向上を図ることができる。斜板はＰＣコンクリート製なので、品質の向上を図ることができる。
【００１１】
【発明の実施の形態】
以下、本発明の一実施形態について図面を参照しつつ説明する。図１は本発明の斜板堤の構築方法によって構築された斜板堤の側面図である。図２は図１のＡ―Ａ矢視図である。なお、図９ないし図１１を用いて、従来のものとして説明したものと共通するものは、同じ符号を付して説明する。図１および図２において、１は静水面である。２は波、３は波２の進行方向である。６は海底である。７は波２の進行方向３に対して上り勾配の傾斜面を有するＰＣコンクリート製の斜板である。９Ａは斜板７を支える鋼管製の脚部で、隣り合う複数の脚部９Ａ同志を複数の水平連結材９ａおよびを複数の斜め連結材９ｂで連結して１ブロックのジャケット７４を構成している。１０は海底６へ打ち込んだ複数の基礎杭で、上記ジャケット７４の脚部９Ａに対応する数分設けられる。なお、海上で基礎杭１０に固定する際、脚部９Ａは基礎杭１０に外嵌して固定する。
【００１２】
図３は斜板製作時の平面概念図である。図に示すように、斜板７は、複数の主桁７１と、各主桁７１間を連結する複数の横桁７２と、主桁７１と横桁７２によって形成された井桁状の空間部に設置された床板７３とから形成されている。主桁７１、横桁７２および床板７３は、ＰＣコンクリート製である。２７は主桁７１と横桁７２の接合部２６と、主桁７１および横桁７２と床板７３との接合部２６ａに注入するグラウトである。
【００１３】
図４ないし図６は、主桁と横桁との連結状態を示す図で、図４、図６は主桁と横桁との連結状態を示す斜視図である。図５は主桁と横桁との連結状態を示す側面図である。主桁７１および横桁７２は、工場などで製作されて搬送され、沿岸のヤード３０上に仮置きされている、図示しないジャケット７４の上部に吊り上げて取り付ける。主桁７１および横桁７２の側面には接合部２６を形成するために多数の鉄筋１８、１７を突出させている。また、主桁７１側面の鉄筋１８の下部にはブラケット（受け材）１５がボルト１６により取り付けられている。まず主桁７１を、図示しないトラッククレーンなどにより吊り上げてジャケットの上部に設置する。次に横桁７２を吊り上げて主桁７１と主桁７１との間に降ろし、図５に示すように、主桁７１の側面に設けたブラケット１５上に横桁７２の端部を載置する。そして主桁７１の鉄筋１８と横桁７２の鉄筋１７とを溶接または針金で縛って固着する。次に図６に示すように、主桁７１の側面に横桁７２の両側面を挟持するように固定部材１９をボルト２０により取り付ける。ブラケット１５と固定部材１９によって囲まれた接合部２６にグラウト２７を注入して主桁７１と横桁７２とを連結する。ブラケット１５と固定部材１９は、グラウト２７を注入時の型枠ともなる。
【００１４】
図７および図８は主桁および横桁と床板との連結状態を示す斜視図である。工場などで製作したＰＣコンクリート製の床板７３を吊り上げて主桁７１と横桁７２との連結によって形成された井桁状の空間部３１に降ろし、図８に示すように、主桁７１、横桁７２の側面に設けたブラケット（受け材）２１上に床板７３の外周端部を載置する。そして主桁７１の鉄筋２３と床板７３の鉄筋２２、横桁７２の鉄筋２５と床板７３の鉄筋２４とをそれぞれ溶接または針金で縛って固着する。ブラケット２１と主桁７１と横桁７２と床板７３によって形成された接合部２６ａにグラウト２７を注入して主桁７１および横桁７２と床板７３とを連結する。
【００１５】
斜板７が完成すると、ジャケット７４を、図示しない浮きクレーンで吊り上げて、あらかじめ海底に打ち込んで設置した鋼管製の基礎杭１０上に移動して降下し、ジャケット７４の脚部９Ａを基礎杭１０に外嵌して固定する。なお、基礎杭１０は、脚部９Ａの上端付近まで嵌入する。
【００１６】
次に本実施形態の作用を説明する。斜板７を形成するＰＣコンクリート製の主桁７１、横桁７２および床板７３を工場などで各別に製作するので、製作が容易であるとともに、沿岸のヤード３０への搬送が容易である。また、ヤード３０上に仮置きしたジャケット７４に主桁７１と横桁７２および床板７３を適宜組み合わせ、その接合部２６、２６ａにグラウト２７を注入して固定するので、支保工２９などの機材を無くすとともに、ヤード３０での作業は、接合部２６、２６ａでのグラウト２７注入だけなので、大量のコンクリートの打設工事を無くすことができる。ヤード３０で作業を完了した後、斜板７を取り付けたジャケット７４を浮きクレーンで吊り上げて基礎杭１０上に固定するので、工期を短縮して作業効率の向上を図ることができる。斜板７はＰＣコンクリート製なので、品質の向上を図ることができる。
【００１７】
本発明は、以上述べた実施形態に限定されるものではなく、発明の要旨を逸脱しない範囲で種々の変更が可能である。
【００１８】
【発明の効果】
以上述べたように、本発明の斜板堤の構築方法は、斜板を形成するＰＣコンクリート製の主桁、横桁および床板を工場などで各別に製作し、これらをヤードに搬送してヤード上に仮置きしたジャケットに適宜組み合わせ、その接合部にグラウトを注入してジャケットと一体にし、そのジャケットを浮きクレーンで吊り上げて基礎杭上に降下して固定するので、ヤードでのコンクリート打設工事を大幅に減少させて作業効率の向上を図るとともに、コンクリートの品質の向上を図ることができるという優れた効果を奏する。
【図面の簡単な説明】
【図１】本発明の斜板堤の構築方法によって構築された斜板堤の側面図である。
【図２】図１のＡ−Ａ矢視図である。
【図３】斜板製作時の平面概念図である。
【図４】主桁と横桁との連結状態を示す斜視図である。
【図５】主桁と横桁との連結状態を示す側面図である。
【図６】主桁と横桁との連結状態を示す斜視図である。
【図７】主桁および横桁と床板との連結状態を示す斜視図である。
【図８】主桁および横桁と床板との連結状態を示す斜視図である。
【図９】特開平４−７４０２号公報に開示された斜板堤（水面設置構造物）の斜視図である。
【図１０】特開平４−７４０２号公報に開示された斜板堤（水面設置構造物）の側面図である。
【図１１】従来のコンクリート製の斜板をヤード上で構築している状態を示す概要図である。
【符号の説明】
１      海水の静水面
２      波
３      波の進行方向
６      海底
７      斜板
９、９Ａ    脚部
１０      基礎杭
１５、２１      ブラケット（受け材）
１７、１８、２２、２３、２４、２５    鉄筋
１９    固定部材
２６、２６ａ    接合部
２８    足場
２９    支保工
３１    空間部
７１    主桁
７２    横桁
７３    床板
７４    ジャケット
【図１】
0003951809.tif 000002
【図２】
0003951809.tif 000003
【図３】
0003951809.tif 000004
【図４】
0003951809.tif 000005
【図５】
0003951809.tif 000006
【図６】
0003951809.tif 000007
【図７】
0003951809.tif 000008
【図８】
0003951809.tif 000009
【図９】
0003951809.tif 000010
【図１０】
0003951809.tif 000011
【図１１】
0003951809.tif 000012